(57)【特許請求の範囲】
【請求項１】
特に実用車用外装バックミラーの取り付け台用の保持ヒンジ部品であって、
ヒンジ軸部品（８，１０，１２）によって互いに接続され保持ヒンジ軸（１３）を中心に回転可能な第一及び第二保持アーム（４，６）を備えており、
前記第一保持アーム（４）は、第一保持具（３６）を有する第一保持面（３４）を有し、
前記第二保持アーム（６）は、前記第一保持具（３６）と補完的に係合する第二保持具（６８）を有する第二保持面（６６）を有し、
前記第一保持アーム（４）は、ヒンジ軸部品用の第一保持板部（１８）を有する第一保持アーム部（１４）とヒンジ軸部品用の第二保持板部（２０）を有する第二保持アーム部（１６）とを有し、
前記二つのヒンジ軸部品用の保持板部（１８，２０）は、互いに対向して設けられ、
前記第二保持アーム（６）は、前記ヒンジ軸部品が中を通って延設される軸受ブロック（５６）を有し、
前記第一及び第二保持アーム部（１４，１６）は、補完的接合面（２４，２６）を介して互いに解放可能に接続される保持ヒンジ部品において、
前記二つの保持アーム部（１４，１６）は、前記接合面（２４，２６）において型はめにより互いに接続されることを特徴とする保持ヒンジ部品。
【請求項２】
前記二つの保持アーム部（１４，１６）は、少なくとも一つのねじ接続（１２）を利用して互いに解放可能に接続されることを特徴とする請求項１に記載の保持ヒンジ部品。
【請求項３】
前記保持ヒンジ軸（１３）の方向における前記第一保持アーム（４）の厚さは、前記保持ヒンジ軸（１３）を横切る方向における前記第一保持アーム（４）の幅よりも小さいことを特徴とする前記請求項のいずれかに記載の保持ヒンジ部品。
【請求項４】
前記第一保持アーム（４）の前記二つの保持アーム部（１４，１６）は、略同じ大きさを有することを特徴とする前記請求項のいずれかに記載の保持ヒンジ部品。
【請求項５】
前記二つの保持アーム部のうちの一方（１６）は、他方の保持アーム部（１４）よりも小さく、前記保持ヒンジ軸（１３）に直交する方向における前記小さい保持アーム部（１６）の断面積は、前記第一又は第二保持面（３４，６６）の大きさの少なくとも二倍であることを特徴とする請求項１から３のいずれかに記載の保持ヒンジ部品。
【請求項６】
前記二つの保持アーム部（１４，１６）は、それぞれ外側と互いに対向する内側とを呈し、
前記第一保持面（３４）は、前記ヒンジ軸部品用の保持板部（１８）の内部に形成され、
前記保持ヒンジ軸（１３）は、前記第一及び第二保持面（３４，６６）を通って延設されることを特徴とする前記請求項いずれかに記載の保持ヒンジ部品。
【請求項７】
前記ヒンジ軸部品（８，１０，１２）は、前記二つの保持アーム部（１４，１６）が互いに支持し合うように、前記第一保持アーム（４）の前記第二保持板部（２０）と前記第二保持アーム（６）の前記第二保持面（６６）の後ろ側との間に配置されるコイルばね（１０）を有することを特徴とする請求項６に記載の保持ヒンジ部品。
【請求項８】
前記ヒンジ軸部品（８，１０，１２）は、前記二つの保持板部（１８，２０）のうちの一つに取り付けられ前記第二保持アーム（６）の前記軸受ブロック（５６）を通って延設される接続ピン（８）を有することを特徴とする前記請求項いずれかに記載の保持ヒンジ部品。
【請求項９】
前記接続ピン（８）は、前記第一又は第二保持アーム部（１４，１６）と一体的に形成されることを特徴とする請求項８に記載の保持ヒンジ部品。
【請求項１０】
前記接続ピン（８）と係合する収容部（４０）が前記第二又は第一保持板部（２０，１８）の内部に形成されることを特徴とする請求項８又は９に記載の保持ヒンジ部品。
【請求項１１】
前記接続ピン（８）はねじスリーブであり、
前記第二又は第一保持アーム部（１６，１４）は、前記ねじスリーブ（８）及び前記ねじスリーブ（８）用の前記収容部（４０）に位置合わせされた外部からアクセス可能なねじ穴（４４）を備え、
前記ねじ穴（４４）及び前記ねじスリーブ（８）は、前記第一保持アーム（４）の前記二つの保持アーム部（１４，１６）を接続するための前記少なくとも一つのねじ接続（１２）の一部であることを特徴とする請求項８から１０のいずれかに記載の保持ヒンジ部品。
【請求項１２】
前記第一保持面（３４）は、前記ヒンジ軸部品（８，１０，１２）用の前記第一保持板部（１８）の内部に形成され、前記保持ヒンジ軸（１３）を横切る方向に配置されることを特徴とする前記請求項のいずれかに記載の保持ヒンジ部品。
【請求項１３】
前記第一保持アーム（４）の前記二つの保持アーム部（１４，１６）は、第一及び第二殻の形状を有することを特徴とする前記請求項のいずれかに記載の保持ヒンジ部品。
【請求項１４】
前記補強リブ（３２）は、前記二つの殻形状保持アーム部（１４，１６）のうち少なくとも一つに形成されることを特徴とする請求項１３に記載の保持ヒンジ部品。
【請求項１５】
前記軸受ブロック（５６）は、前記保持ヒンジ軸（１３）を横切る方向に延設され外側を向いた第一及び第二端部面（６２，６４）を有し、
前記第一端部面（６２）は、第二保持具（３６）が配置された前記第二保持面（３４）であり、
前記二つの端部面（６２，６４）は、前記ヒンジ軸部品（８，１０，１２）が中を通って延設される中心穴（７０）を備えることを特徴とする前記請求項のいずれかに記載の保持ヒンジ部品。
【請求項１６】
前記二つの端部面（６２，６４）は、間隔を空けて配置され、湾曲したジャケット帯によって互いに接続されることを特徴とする請求項１５に記載の保持ヒンジ部品。
【請求項１７】
前記第二端部面（６４）からは、フランジ（６０）が前記二つの端部面（６２，６４）から遠ざかるように前記保持ヒンジ軸（１３）の方向に延設され、前記フランジ（６０）の上側縁は円状アーチ部を有しており、
前記軸受ブロック（５６）の周囲に及ぶ前記第二保持板部（２０）の内側は、前記フランジ（６０）の前記円状アーチ部用の誘導チャネル（８６）を有することを特徴とする請求項１５又は１６に記載の保持ヒンジ部品。
【請求項１８】
前記ばね部材は、前記フランジ（６０）内に配置されるコイルばね（１０）であり、前記接続ピン（８）は、前記コイルばね（１０）を通って延設されることを特徴とする請求項１７に記載の保持ヒンジ部品。
【請求項１９】
前記第一及び第二保持アーム（４，６）は合成材料から作られることを特徴とする前記請求項のいずれかに記載の保持ヒンジ部品。
【請求項２０】
ミラーヘッド（２）と前記請求項のいずれかに記載の保持ヒンジ部品とを備える自動車用外装バックミラーであって、前記ミラーヘッド（２）は、前記第一保持アーム（４）に固定され、前記第二保持アーム（６）は、ミラー基部として機能することを特徴とするバックミラー。
【発明の詳細な説明】
【技術分野】
【０００１】
本発明は、請求項１の導入部に基づく特に実用車用外装バックミラーの取り付け台用の保持ヒンジ部品、及び請求項２０に記載のこの保持ヒンジ部品を備える実用車用外装バックミラーに関する。
【背景技術】
【０００２】
通常、自動車の外装バックミラーは、固定して取り付けられず、自動車に対して角度位置が変更可能となっている。そのために、保持ヒンジが様々な構成で広く使われている。例えば、特許文献１には、第一保持アームの第一及び第二部分がロック機構を有する細長い軸ヒンジ部品に当接する保持ヒンジが記載されている。また、特許文献２には、Ｕ字型の第一軸アームが第二保持アームの軸受ブロックを取り囲む保持ヒンジ又は保持ヒンジ部品が記載されている。軸ヒンジ部品は、ロック機構の一部として動作する。特許文献３には、自動車の外装バックミラーを旋回可能に取り付けるための保持ヒンジ部品が記載されている。保持ヒンジ部品は、略カップ状保持ヒンジを介して相互に接続された第一及び第二保持アームを備える。特許文献４にも同様の保持ヒンジが記載されている。
【０００３】
特許文献５には、ヒンジ軸部品を利用することにより旋回可能に相互に接続された第一及び第二保持アームを備える保持ヒンジ部品が記載されている。第一保持アームは、ヒンジ軸部品用の二つの対向する保持具と第一保持面とを備える。第二保持アームは、ヒンジ軸部品が貫通する軸受ブロックと補完的な第一保持面と係合する第二保持面とを備える。ヒンジ軸部品がコイルばねを有するため、二つの保持面及び二つの保持アームは互いに支持し合う。
【０００４】
特許文献６には、二つの部分に分かれた保持アームを備える保持ヒンジ部品が記載されている。二つの保持アーム部が別々にヒンジ軸部品から遠ざかるように延設されており、二つの保持アーム部は他の端部で互いに接続されている。
【０００５】
これら従来の保持ヒンジは、保持ヒンジ軸の方向における構造高さが比較的大きいため、伝達される力を考慮して保持ヒンジを非常に頑丈に設計しなくてはならない。
【先行技術文献】
【特許文献】
【０００６】
【特許文献１】欧州特許出願公開第０５２７４５５号明細書
【特許文献２】欧州特許出願公開第１８８６８７３号明細書
【特許文献３】独国特許出願公開第２７２６４７０号明細書
【特許文献４】独国特許発明第１０２００６０２８０７３号明細書
【特許文献５】英国特許出願公開第６５８６７９号明細書
【特許文献６】英国特許出願公開第２０４９５８６号明細書
【発明の開示】
【発明が解決しようとする課題】
【０００７】
特許文献５から始まって、本発明の課題は、保持ヒンジ軸の方向における構造高さが小さい保持ヒンジ部品を提供することにある。本発明の別の課題は、この保持ヒンジ部品を備えた外装バックミラーを提供することにある。
【課題を解決するための手段】
【０００８】
この課題は、請求項１及び２０に記載の特徴により達成される。
【０００９】
第一保持アームの二つの保持アーム部が接合面で補完的に接合されることから、一方の保持アームからヒンジ軸部品を介して他方の保持アームへ力が均等に伝達される。二つの部分に分かれた第一保持アームによりサンドイッチ構造が作られるため、特許文献１又は特許文献５に記載の二つの部分に分かれた保持アームとは異なり、ヒンジ軸部品からの力が第一保持アームに対して連結面全体を介して伝達することが可能となる。二つの保持板部から他方の保持アーム部への力の伝達が平面的に行われる。その結果、自動車用外装バックミラーにおいて生じる力が実質的に構造高さが減少した保持ヒンジ部品に確実に伝達される。
【００１０】
請求項１に記載の型はめにより本発明に係る保持ヒンジ部品の安定性と力伝達が向上する。
【００１１】
第一保持アームの二つの保持アーム部が互いに平面的に連結され、大きな共通の断面(共通の接合面)を呈することにより、非常に低い構造高さが可能となる。保持ヒンジ軸を横断する方向の断面積が保持ヒンジ軸の方向よりも大きいことから、必要な力の伝達が確実なものとなる（請求項３）。
【００１２】
請求項４に記載の好適な実施形態によれば、二つの保持アーム部が略同じ大きさを有するため、第一保持アームに力が実質的に「全面」導入される。
【００１３】
一定の条件下においては、例えば、第一ミラーアームの二つの保持アーム部のうち一つだけにミラーヘッドを接続するための接続部品を実現することが賢明であるため、第一保持アームの二つの保持アーム部の保持ヒンジ軸を横断する方向の断面積が異なる大きさを有するという実施形態がもらされる。しかしながら、このような場合、小さい保持アームの断面積は第一又は第二保持面の大きさの少なくとも二倍となる。これにより、ヒンジ軸部品から及びヒンジ部品へ力を導入するのに十分な表面積がもたらされる（請求項５）。
【００１４】
請求項６及び７に記載の本発明の好適な構成によれば、二つの保持面が互いに支持し合うのに必要なばね部材が第一保持アームの二つの部分の間に簡単な方法で組み込まれる。
【００１５】
請求項８及び９に記載の本発明の好適な構成によれば、接続ピンが第一保持アーム部の保持板部に固定接続されるため、保持ヒンジ部品に必要な部品数が減少し、保持ヒンジ部品の構造が簡素化される。
【００１６】
請求項１０及び１１に記載の本発明の好適な構成によれば、接続ピンが収容部と係合することにより、第一保持アームの二つの保持アーム部を安定して接続することが可能となる。
【００１７】
請求項１３に記載の本発明の好適な構成によれば、第一保持アームの剛性が向上する。請求項１４に係る実施形態には補強リブが含まれるため、第一保持アームの安定性及び剛性が同様に向上する。
【００１８】
請求項１５及び１６に記載の本発明の好適な構成によれば、第二保持アームの構成が簡素になる。二つの端部面及びねじスリーブの収容部の中心穴を必要な大きさにすることにより、保持ヒンジ部品の安定性が高くなる。
【００１９】
請求項１７に記載の本発明の好適な構成によれば、フランジの部分的に円状アーチの形をした上側端部が第一保持アームの第二保持板部における対応する補完的な形状に形成された誘導チャネルの軸受ブロックに誘導されるため、安定性がさらに向上する。
【００２０】
残りの従属請求項は、本発明の別の好適な構成に関する。
【図面の簡単な説明】
【００２１】
【図１】本発明の第一実施形態を一方側から見た分解図である。
【図２】図１に示す本発明の第一実施形態を他方側から見た図である。
【図３】本発明の第二実施形態に係る第二保持アームの軸受ブロックの詳細図である。
【図４】本発明の第二実施形態に係る第一保持アームの第二保持アーム部の内側の詳細図である。
【発明を実施するための最良の形態】
【００２２】
以下に、本発明の実施形態について、図面を参照して詳細に説明する。
【００２３】
図１及び２に示す自動車用外装バックミラーは、保持ヒンジ部品を利用して車両（図示せず）に接続されるようになっているミラーヘッド２を有する。保持ヒンジ部品は、第一保持アーム４と第二保持アーム６とを備え、第一保持アーム４と第二保持アーム６は、接続ピン８とコイルばね１０とねじ接続１２とを備えるヒンジ軸部品を介して相互に接続される。保持ヒンジ部品は、保持ヒンジ軸１３を固定化する。第一保持アーム４は第一及び第二殻形保持アーム部１４及び１６からなる。二つの保持アーム部１４及び１６はそれぞれ、第二保持アーム６側の端部において、ヒンジ軸部品用の第一及び第二保持板部１８及び２０を有する。第一保持アーム部１８とは反対側には、ミラーヘッド２が取り付けられる球状ミラーヘッド接続部２２が設けられる。保持板部１８及び２０とミラーヘッド接続部２２との間において、二つの殻形保持アーム部１４及び１６が、二つの大きい互いに対向した補完的な接合面２４及び２６を規定する。二つの接合面２４及び２６の周辺端部は、二つの保持アーム部１４及び１６間の型はめ接続を行う補完的な接合端部２８及び３０となっている。内部補強リブ３２が第一保持アーム部１４の接合端部２８内に配置される。
【００２４】
第一保持板部１８の内側には、第一保持具３６を有する第一保持面３４が配置される。第一保持面３４は円形であり、第一保持面３４には第一保持具３６が切ったパイのような形状で配置される。第一保持板部１８及び第一保持アーム部１４に一体成形されねじスリーブの形状を有する接続ピン８が第一保持面３４の中央から延設される。補強リブ３２の領域では、同様に保持ヒンジ軸１３の方向に延設されたねじスリーブ３８が設けられる。ねじスリーブ３８も第一保持アーム部１４の内側に一体成形される。第二保持アーム部１６の内側には、接続ピン８を収容する収容部４０とねじスリーブ３８を収容する収容部４２とが設けられる。二つの収容部４０及び４２にはそれぞれねじ穴４４が貫通しており、二つの保持アーム部１４及び１６は第二保持アーム部１６の外側の方向からねじ４６によりねじ留めされる。
【００２５】
第二保持アーム６は、取り付け穴５２を有する略板状部５０を有する。略板状部５０は車両と平面接触し、第二保持アーム６は取り付け穴５２を利用して車両に取り付けられる。略板状部５０からは、中空基部５４が延設され、中空基部５４の自由端５８側には軸受ブロック５６が形成される。中空基部５４は、安定性を向上させるために、板状部５０の長手方向側の領域において幅が広く形成されている。軸受ブロック５６は、外側を向いた凸面を有し第一端部面６２の縁と第二端部面６４の縁を接続する帯状のジャケット面６０を備える。外側を向いており第一保持板部１８及び第一保持面２４と対向する第一端部面６２には、第二円形保持面６６が配置されており、第二円形保持面６６は切ったパイの形状に配置された第二保持具６８を備えており、第二保持具６８は第一保持面３４の第一保持具３６と補完的に係合する。中心穴７０が第一及び第二端部面６２及び６４と第二保持面６６とを貫通している。組み立てられた状態では、接続ピン８は中心穴７０を通って延設される。第一及び第二端部面６２，６４の間の軸受ブロック５６の高さは、軸受ブロック５６が第一保持アーム４の一体化された保持アーム部１４，１６の二つのヒンジ軸部品保持板部１８，２０の間に正確に嵌合するよう選択される。組み立てられた状態では、軸受ブロック５６は、ヒンジ軸部品用の二つの保持板部１８，２０の間に配置され、接続ピン８は、二つの端部面６２，６４の中心穴７０を通って延設される。
【００２６】
第一保持アーム４を第二保持アームまたはミラー基部６に取り付ける際、まず第一保持アーム部１４の第一保持面３４が軸受ブロック５６の閉じられる端部面６２の第二保持面６６に載置され、接続ピン８が中心穴７０から突出する。次に、コイルばね１０が軸受ブロック５６の開放された端部面６４を通って接続ピン８上に置かれることによって、コイルばね１０が接続ピン８を包囲し、接続ピン８がコイルばね１０を通って延設される。
【００２７】
次に、第一保持アーム４の第二保持アーム部１６が接合端部２８及び３０に沿って最初の半分まで置かれ、接続ピン８及びねじスリーブ３８がそれぞれねじ穴４４を有する第一収容部４０及び第二収容部４２と係合する。続いて、保持アーム部１４及び１６が互いにねじ留めされる。コイルばね１０は、所望の支持力によって二つの保持面３４及び６６を一緒に保持するような寸法を有する。
【００２８】
軸受ブロック５６の二つの端部面６２，６４の柱状の中心穴７０は、第二保持板部２０に取り付けられた第一収容部４０の外径と略同じである内径を有する。このような寸法にすることにより、保持ヒンジ部品に必要な安定性が確保される。保持ヒンジ部品の最大旋回角度を制限する制限ペグ７２がジャケット面６０に成形される。
【００２９】
図３及び４は、本発明の第二実施形態を示すが、第二実施形態は第一実施形態とは軸受ブロック５６及び第二保持アーム部１６の構成が異なる。図３に示すように、第二端部面６４は、第一端部面６２の裏側に形成される。第二端部面６４の縁からは、フランジ８０が、保持ヒンジ軸１３の方向に二つの端部面６２及び６４から遠ざかるように延設され、上側縁８２において終端となる。このようにフランジ８０は軸受ブロック５６のジャケット面６０を形成する。保持ヒンジ軸１３と直交する方向の断面図において、フランジ８０は円形アーチ部８４を有する。
【００３０】
図４に示すように、円形アーチ部８４は第二保持板部１８の内部に形成された誘導チャネル８６と係合する。保持ヒンジ部品が旋回している間は、円形アーチ部８４は誘導チャネル８６により保持し誘導されるため、保持ヒンジ部品の安定性がさらに向上する。
【符号の説明】
【００３１】
２  ミラーヘッド
４  第一保持アーム
６  第二保持アーム
８  接続ピン
１０  コイルばね
１２  ねじ接続
１３  保持ヒンジ軸
１４  第一保持アーム部
１６  第二保持アーム部
１８  第一保持板部
２０  第一保持板部
２２  ミラーヘッド接続部
２４  １４上の接合面
２６  １６上の接合面
２８  第一保持アーム部の接合端部
３０  第二保持アーム部の接合端部
３２  補強リブ
３４  第一保持面
３６  第一保持具
３８  ねじスリーブ
４０  ８用の収容部
４２  ３８用の収容部
４４  ねじ穴
４６  ねじ
５０  ６の板状部
５２  ５０の取り付け穴
５４  中空基部
５６  軸受ブロック
５８  ５４の開端
６０  ５６のジャケット面
６２  第一端部面
６４  第二端部面
６６  第二保持面
６８  第二保持具
７０  ６２と６４の中心穴
７２  制限ペグ
８０  ６４上のフランジ
８２  ８０の上側縁
８４  ８２の円形アーチ部
８６  １６内の誘導チャネル
【図１】
0005351968.tif 000002
【図２】
0005351968.tif 000003
【図３】
0005351968.tif 000004
【図４】
0005351968.tif 000005